(57)【要約】      （修正有）【課題】簡単な構造でＩＣチップを複数回利用でき、プリンタの改造も不要で、手動でインク液を注入することも不要とするＩＣチップ脱着式インクカートリッジを提供する。【解決手段】ＩＣチップ脱着式インクカートリッジは、インクカートリッジ本体１と取付用部品装置２を含め、取付用部品装置２とカートリッジ本体１との間にクリップ構造を使用して、繰り返しの取付けと分離を達成する。具体的に、取付用部品装置２には幾つかの定位穴２１、定位パネル２２と定位針を設けてある。最もよい実施形態としては定位穴２１が二つ、定位パネル２２が一つ、定位針が一つである。インクカートリッジ本体１には、取付用部品装置２にある定位穴２１、定位パネル２２、定位針とそれぞれ対応する定位バックル１１が二つ、第一の定位溝１２が一つと第二の定位溝１３が一つ設けてある。【選択図】図２
0003219504.tif 000002
【実用新案登録請求の範囲】
【請求項１】
インクカートリッジ本体と、該インクカートリッジ本体に着脱可能な取付用部品装置を備え、
前記取付用部品装置は、ＩＣチップを装着可能な溝と、インクカートリッジホルダーに装着可能なバックルを備え、
前記インクカートリッジ本体は、インク液出口と空気穴を備える
ＩＣチップ脱着式インクカートリッジ。
【請求項２】
前記溝には、利用１回限りのＩＣチップまたは永久性ＩＣチップが装着可能である請求項１記載のＩＣチップ脱着式インクカートリッジ。
【請求項３】
前記取付用部品装置は、定位穴、定位パネル及び定位針を備える請求項１記載のＩＣチップ脱着式インクカートリッジ。
【請求項４】
前記インクカートリッジ本体に、前記定位穴、前記パネル及び前記定位針にそれぞれ対応する定位バックル、第一の定位溝及び第二の定位溝を備える請求項３記載のＩＣチップ脱着式インクカートリッジ。
【請求項５】
前記定位穴が２つ、前記定位パネルが１つ、前記定位針が１つである請求項３記載のＩＣチップ脱着式インクカートリッジ。
【請求項６】
前記インクカートリッジ本体の片側に、前記取付用部品装置を外すための弓型凹みを備えた請求項１記載のＩＣチップ脱着式インクカートリッジ。
【請求項７】
前記インク液出口と前記空気穴を封じるキャップを備えた請求項１記載のＩＣチップ脱着式インクカートリッジ。
【考案の詳細な説明】
【技術分野】
【０００１】
本考案は、印刷の消耗品の分野に関連し、特にＩＣチップ脱着式インクカートリッジに関する。
【背景技術】
【０００２】
電子情報技術の発展に伴い、プリンタや複写機はオフィスから家にまで展開した。また、ビジネス活動と個人活動の発展に伴い、インクジェットプリンタに使用する消耗品のカートリッジの使用も大幅に増加している。
【０００３】
従来の互換性のあるインクカートリッジは、主に次の三つの技術を採用している。第一に、連続インク供給装置であって、プリンタのインクカートリッジホルダーを改造し、外部の大容量インクボトルと繋がる形状として、プリンタにインク液を連続で供給する。第二に、充填式インクカートリッジであって、インクカートリッジにある充填口を通じて、カートリッジにインク液を注入し、インクカートリッジの重複利用を実現する。第三に、利用が１回限りの互換インクカートリッジであり、その構造は純正インクカートリッジと近く、印刷効果も純正インクカートリッジを用いた場合と近い。
【考案の概要】
【考案が解決しようとする課題】
【０００４】
しかし、以上三つの技術は大きな欠点がある、第一の、連続インク供給装置は、プリンタを改造する必要があるため、プリンタに回復できない故障が発生することがある。さらに、印刷品質は保証されない。
第二の、充填式インクカートリッジは、インク液を注入する時、気泡が発生するため、印刷する時は、カスレ、断線などが出るおそれがある。さらに、プリンタの使用寿命を短縮させる。
第三の、利用が１回限りの互換インクカートリッジは、インク液がなくなったら、インクカートリッジはゴミとして捨てられるため、インクカートリッジにはめてあるＩＣチップの回収再利用はできず、環境汚染につながったり、廃棄物処理の負担を増大させる。
【０００５】
そこで本考案は、従来技術の欠点を克服することを目指して、簡単な構造でＩＣチップを複数回利用でき、プリンタの改造も不要で、手動でインク液を注入することも不要とするＩＣチップ脱着式インクカートリッジを提供する。
【課題を解決するための手段】
【０００６】
上記の技術的目的を実現するため、本考案は以下のような技術で実現される。
ＩＣチップ脱着式インクカートリッジとして、インクカートリッジ本体と本体片側にあるレバー付きの取付用部品装置を含む。また、取付用部品装置とカートリッジ本体との間にクリップ構造を使用して、繰り返しの取付けと分離を達成する。さらに、取付用部品装置にはＩＣチップを嵌める溝を設けて、ＩＣチップを嵌めるために用いられる。また、さらにプリンタカートリッジホルダーに留めるためのバックルも設置される。さらに、インクカートリッジ本体にはインク液出口と空気穴を設けてある。
【０００７】
嵌める溝に利用が１回限りのＩＣチップまたは永久ＩＣチップを嵌める。
取付用部品装置には定位穴、定位パネルと定位針を設けてある。
インクカートリッジ本体には取付用部品装置と相応の定位バックル、第一の定位溝と第二の定位溝が設けてある。
取付用部品装置にある定位穴、定位パネル、定位針がインクカートリッジ本体にある定位バックル、第一の定位溝、第二の定位溝と合わせてセットされる。
【０００８】
取付用部品装置には定位穴が二つ、定位パネルが一つ、定位針が一つを設けてある。
インクカートリッジ本体の片側に取付用部品装置を外す用弓形凹みを設けてある。
インクカートリッジ本体にはインク液出口と空気穴を封じる用のキャップが装置してある。
【考案の効果】
【０００９】
本考案による、ＩＣチップ脱着式インクカートリッジの有益な効果は以下の通りである。
ＩＣチップ脱着式インクカートリッジは、取付用部品装置をインクカートリッジ本体から分離し、ＩＣチップを取付用部品装置に嵌めることによって、分離したＩＣチップを、取付用部品装置とインクカートリッジ本体とは別々で包装と運輸できる。これにより、物流コストが削減でき、運輸途中で不良を起こす発生率も低減される。また、インクがなくなった場合、いつでもインクカートリッジ本体を交換できる。さらに、取付用部品装置は繰り返して利用できる。これにより、従来品よりコストも削減される。ＩＣチップと取付用部品装置は分離後再利用する。これにより、ある程度環境への汚染を軽減することができる。
【図面の簡単な説明】
【００１０】
【図１】本考案の一実施形態に係る模式図である。
【図２】本考案の一実施形態に係る仕組み分解図である。
【図３】取付用部品装置図である。
【図４】インクカートリッジ本体図である。
【考案を実施するための形態】
【００１１】
以下、添付の図面を参照して、本考案の一実施形態のＩＣチップ脱着式インクカートリッジを説明する。
ＩＣチップ脱着式インクカートリッジは、インクカートリッジ本体１と取付用部品装置２を含め、取付用部品装置２とカートリッジ本体１との間にクリップ構造を使用して、繰り返しの取付けと分離を達成する。
【００１２】
具体的に、取付用部品装置２には幾つかの定位穴２１、定位パネル２２と定位針２３を設けてある。最もよい実施形態としては定位穴２１が二つ、定位パネル２２が一つ、定位針２３が一つである。インクカートリッジ本体１には、取付用部品装置２にある定位穴２１、定位パネル２２、定位針２３とそれぞれ対応する定位バックル１１が二つ、第一の定位溝１２が一つと第二の定位溝１３が一つ設けてある。
【００１３】
使用者は、片手で取付用部品装置２を持って、他方の手でカートリッジ本体１を持ち、先に定位針２３を定位溝１３に差し込んで、取付用部品装置２とインクカートリッジ本体１のＹ軸方向の変位を制限する。その後、定位パネル２２を定位溝１２に差し込み、取付用部品装置２とインクカートリッジ本体１のＸ軸方向の変位を制限する。最後に、定位バックル１１を定位穴２１に留めて、取付用部品装置２とインクカートリッジ本体１のＺ軸方向の変位を制限する。
【００１４】
取付用部品装置２は自身にある二つの定位穴２１、一つの定位パネル２２と一つの定位針２３を通じて、インクカートリッジ本体１自身にある二つの定位バックル１１、一つの定位溝１２と一つの定位溝１３と互いに合わさってバックル構造を形成する。上述の方法で繰り返し使用しても、変形したり緩んだりしないように保障できる。本実施形態では、インクカートリッジ本体１を使用後、インクカートリッジ本体１を交換するのみで、インクカートリッジを新たに使えるため、使用者の操作の複雑さを軽減できる。
【００１５】
具体的には、取付用部品装置２には、利用が１回限りのＩＣチップまたは永久性ＩＣチップを嵌める溝２５が設置してある。最良の実施形態においては、溝２５に永久性ＩＣチップが嵌められてあり、永久性ＩＣチップは繰り返し使用できる利点があり、コストを削減できる。取付用部品装置２にはバックル２６が設けられている。インクカートリッジ本体１にインク液出口１７とキャップ１５が設けられている。
【００１６】
具体的には、インクカートリッジ本体１の片側に取付用部品装置２を外す用の弓形凹みが設けられているため分解しやすい。インクカートリッジ本体１にインク液出口１７とキャップ１５が設けられていて、運輸途中で不良を起こす発生率が低減される。
【００１７】
本実施形態のＩＣチップ脱着式インクカートリッジは、充填式インクカートリッジと比較すると、インクカートリッジ本体１は工業用真空負圧充填を使い、インク液に気泡がないこと、印刷する時はカスレ、断線しないこと、使用者の操作の複雑さが軽減されていることが確認できる。
本実施形態のＩＣチップ脱着式インクカートリッジは、連続インク供給装置と比較すると、プリンタ本体を改造する必要がない。
【００１８】
本実施形態のＩＣチップ脱着式インクカートリッジは、利用が１回限りの互換インクカートリッジと比較すると、取付用部品装置２とＩＣチップが繰り返し利用できるため、コストが削減できる。ＩＣチップと取付用部品装置２は分離後に再利用できるため、ある程度環境への汚染を軽減することが可能となる。
【００１９】
本実施形態のＩＣチップ脱着式インクカートリッジは、既存のＩＣチップ脱着式インクカートリッジと比較すると、利用が１回限りの互換インクカートリッジや純正インクカートリッジと外観が近いため、使用者が受け入れやすい。また、バックル構造となっており繰り返し操作を行うことができる。
【００２０】
本考案に関する実施形態を添付図面に示す。ただし、本考案は多くの異なる形で実現することができ、明細書に記載される実施形態に限定されるものではない。これらの実施形態は、本考案の開示内容をよく理解できる目的で提供される。
【００２１】
本ＩＣチップ脱着式インクカートリッジは、インクカートリッジ本体１と取付用部品装置２を含む。そして、バックル構造でインクカートリッジ本体１と取付用部品装置２の間で繰り返し取付けと分離を実現する。また、取付用部品装置２にはＩＣチップが嵌めてあり、プリンタインクカートリッジホルダーに留めるバックル２６も設けられている。
【００２２】
インクカートリッジ本体１にはインク液の出口の隣に空気穴１６が設けられている。また、分離したＩＣチップは、取付用部品装置２とインクカートリッジ本体１とを別々で包装と運輸できる。これにより、物流コストが削減でき、運輸途中で不良を起こす発生率も低減される。インクがなくなる場合、いつでもインクカートリッジ本体１を交換できる。取付用部品装置２は繰り返して利用できるため、従来品よりコストも削減される。ＩＣチップと取付用部品装置２は分離後再利用して、ある程度環境への汚染を軽減することが可能である。
【符号の説明】
【００２３】
１    インクカートリッジ本体
１１  定位バックル
１３  定位溝
１５  キャップ
１６  空気穴
１７  インク液出口
２    取付用部品装置
２１  定位穴
２２  定位パネル
２３  定位針
２５  溝
２６  バックル
【図１】
0003219504.tif 000003
【図２】
0003219504.tif 000004
【図３】
0003219504.tif 000005
【図４】
0003219504.tif 000006